(57)【要約】【課題】特定の個人の音声などの所定の特徴を含んでいる放送番組を自動的に選択し出力する受信装置を提供する。【解決手段】特徴抽出部２０において、受信部１０で受信した放送信号から所定の特徴を抽出し、抽出した所定の特徴を、スイッチ７０が押されている間だけ記憶部３０に記憶する。そして、受信部１０で受信している放送信号から特徴抽出部２０で所定の特徴を抽出し、抽出した所定の特徴と記憶装置３０に記憶された所定の特徴とをマッチングすることにより抽出した所定の特徴が記憶装置３０に記憶された所定の特徴に一致又は近似しているか否かを判定部５０で判定する。抽出した所定の特徴が記憶装置３０に記憶された所定の特徴を有する情報に一致又は近似していると判定された場合は、受信部１０で受信した信号を出力部４０に出力させ、一致又は近似していないと判定された場合には、受信部１０で受信する放送信号のチャンネルを変更する。【選択図】図１
2010226472.tif 000002
【特許請求の範囲】
【請求項１】
放送信号のチャンネルを選択して受信する受信手段と、
前記受信手段で受信した放送信号から所定の特徴を抽出する特徴抽出手段と、
前記特徴抽出手段で抽出した所定の特徴を所定の条件に基づいて記憶する記憶手段と、
前記受信手段で受信した放送信号を出力する出力手段と、
前記受信手段で受信している放送信号から前記特徴抽出手段で所定の特徴を抽出し、該抽出した所定の特徴と前記記憶手段に記憶された前記所定の特徴とをマッチングすることにより前記抽出した所定の特徴が前記記憶手段に記憶された前記所定の特徴に一致又は近似しているか否かを判定する判定手段と、
前記判定手段で、前記特徴抽出手段で抽出した所定の特徴が前記記憶手段に記憶された前記所定の特徴を有する情報に一致又は近似していると判定した場合に、前記受信手段で受信した信号を前記出力手段に出力させ、一致又は近似していないと判定した場合には、前記受信手段で受信する放送信号のチャンネルを変更する制御手段と、
を備えたことを特徴とする受信装置。
【請求項２】
請求項１に記載の受信装置において、
使用者の操作により、前記記憶手段に対し、前記特徴抽出手段で抽出した前記所定の特徴を前記記憶手段に記憶させる旨の指示を出す指示手段を備え、
前記記憶手段は、
前記指示手段から前記指示があるか否かを前記所定の条件とし、前記指示があったときのみ前記特徴抽出手段で抽出された所定の特徴を記憶することを特徴とする受信装置。
【請求項３】
請求項１又は請求項２に記載の受信装置において、
前記特徴抽出手段は、
前記受信した放送信号の音響信号のスペクトラム情報に基づき、所定の情報の特徴として所定の個人を特定する特徴を抽出し、
前記判定手段は、
前記受信手段で受信している放送信号から前記特徴抽出手段で音響信号のスペクトラム情報に基づき抽出した所定の個人を特定する特徴と前記記憶手段に記憶された前記所定の個人を特定する特徴とをマッチングすることにより前記抽出した所定の個人を特定する特徴と前記記憶手段に記憶された前記所定の個人を特定する特徴とが一致又は近似しているか否かを判定することを特徴とする受信装置。
【請求項４】
請求項１又は請求項２に記載の受信装置において、
前記特徴抽出手段は、
前記受信された放送信号の映像信号を画像処理することにより、所定の情報の特徴として所定の個人を特定する特徴を抽出し、
前記判定手段は、
前記受信手段で受信している放送信号から前記特徴抽出手段で映像信号を画像処理することにより抽出した所定の個人を特定する特徴と前記記憶手段に記憶された前記所定の個人を特定する特徴とをマッチングすることにより前記抽出した所定の個人を特定する特徴と前記記憶手段に記憶された前記所定の個人を特定する特徴とが一致又は近似しているか否かを判定することを特徴とする受信装置。
【発明の詳細な説明】
【技術分野】
【０００１】
本発明は、放送のチャンネルの選択に関するものであり、特に、所定の特徴を有する放送内容を含むチャンネルを自動的に選択し出力する受信装置に関する。
【背景技術】
【０００２】
従来、放送のチャンネル選択を自動的に行う技術として、ラジオ放送番組が行われる時間情報とそのラジオ放送で話される特定の音声の言語情報を利用してラジオ放送番組を自動的に選択出力するものがある（例えば特許文献１参照）。
【先行技術文献】
【特許文献】
【０００３】
【特許文献１】特開２０００−３４９６６７号公報
【発明の概要】
【発明が解決しようとする課題】
【０００４】
ところが、上記の方式では特定の人物までは選択できない。そのため、ある特定の人物の音声が存在する放送番組を自動的に選択し出力することは不可能であった。また、ＦＭ多重放送などの一部の放送番組では出演者の氏名などが音声とは別の番組情報として提供されることがある。しかし、このサービスを提供する放送番組は、放送されている番組全体の数の中ではその数が限定されているという問題がある。
【０００５】
本発明は、こうした問題に鑑みなされたもので、特定の個人の音声などの所定の特徴を含んでいる放送番組を自動的に選択し出力する受信装置を提供することを目的とする。
【課題を解決するための手段】
【０００６】
かかる問題を解決するためになされた請求項１に記載の受信装置（１：この欄においては、発明に対する理解を容易にするため、必要に応じて「発明を実施するための形態」欄において用いた符号を付すが、この符号によって請求の範囲を限定することを意味するものではない。）は、受信手段（１０）、特徴抽出手段（２０）、記憶手段（３０）、出力手段（４０）、判定手段（５０）及び制御手段（６０）を備えている。
【０００７】
受信手段（１０）は、放送信号のチャンネルを選択して受信し、特徴抽出手段（２０）は、受信手段（１０）で受信した放送信号から所定の特徴を抽出する。また、記憶手段（３０）は、特徴抽出手段（２０）で抽出した所定の特徴を所定の条件に基づいて記憶し、出力手段（４０）は、受信手段（１０）で受信した放送信号を出力する。
【０００８】
判定手段（５０）は、受信手段（１０）で受信している放送信号から特徴抽出手段（２０）で所定の特徴を抽出し、抽出した所定の特徴と記憶手段（３０）に記憶された所定の特徴とをマッチングすることにより抽出した所定の特徴が記憶手段（３０）に記憶された所定の特徴に一致又は近似しているか否かを判定する。
【０００９】
制御手段（６０）は、判定手段（５０）で、特徴抽出手段（２０）で抽出した所定の特徴が記憶手段（３０）に記憶された所定の特徴を有する情報に一致又は近似していると判定した場合に、受信手段（１０）で受信した信号を出力手段（４０）に出力させ、一致又は近似していないと判定した場合には、前記受信手段（１０）で受信する放送信号のチャンネルを変更する。
【００１０】
このような、受信装置（１）では、受信手段（１０）で受信された放送信号から所定の特徴が抽出されて所定の条件に基づいて記憶手段（３０）に記憶される。そして、受信されている信号から所定の特徴が抽出され、記憶手段（３０）に記憶されている特徴とマッチングされ、両特徴が一致又は近似しているか否かが判定される。そして、一致又は近似していると判定された場合にのみ、受信手段（１０）で受信された信号が出力手段（４０）に出力され、一致又は近似していないと判定された場合には、受信手段（１０）で受信する放送信号のチャンネルが変更される。
【００１１】
つまり、受信している放送信号のうち、記憶手段（３０）に所定の特徴を有するとして所定の条件に基づいて記憶されたものと同じ特徴を有する放送信号のみが出力され、同じ特徴を有する放送信号でない場合には、チャンネルが変更されることになる。
【００１２】
したがって、所定の特徴を特徴抽出手段（２０）で抽出して、予め記憶手段（３０）に記憶させておいたり、外部から記憶手段（３０）に記憶するための指示を与えたりすれば、その特徴と一致又は近似する放送信号を放送しているチャンネルを自動的に選択して出力することができる。つまり、例えば、特定の個人の音声や顔画像などの所定の特徴を含んでいる放送番組を自動的に選択し出力する受信装置とすることができる。
【００１３】
ここで、「所定の条件に基づいて」とは、抽出した特徴が予め定められた特徴と許容誤差範囲内で合致する場合や使用者が何らかの操作をしている場合のような、記憶手段（３０）に記憶させるために設定される条件を意味している。
【００１４】
また、「抽出した所定の特徴が記憶手段（３０）に記憶された所定の特徴に一致又は近似している」とは、記憶手段（３０）に記憶されている所定の特徴と受信している放送信号から抽出された所定の特徴とが完全に一致している場合だけでなく、両特徴が同一であると判定できる許容値内にある場合を意味している。
【００１５】
また、特徴抽出手段（２０）で抽出した所定の特徴を記憶手段（３０）に記憶さる方法として、請求項２に記載のように、使用者の操作により、記憶手段（３０）に対し、特徴抽出手段（２０）で抽出した所定の特徴を記憶手段（３０）に記憶させる旨の指示を出す指示手段（７０）を備え、記憶手段（３０）は、指示手段（７０）から指示があるか否かを所定の条件とし、指示があったときのみ特徴抽出手段（２０）で抽出された所定の特徴を記憶するようにするとよい。
【００１６】
このようにすると、使用者が操作した場合だけ放送信号から所定の特徴が抽出されて記憶手段（３０）に記憶されるので、結果として使用者が必要とする特徴を有する放送信号のみが出力手段（４０）から出力されることになる。
【００１７】
これは、例えば、放送において使用者が好みの特定の歌手の歌声や好みの映像を録音や録画をする場合、その歌手の音声や映像が放送されているときに、一度、指示手段（７０）を操作すれば、後は、本受信装置（１）によって、その歌手の音声や映像が出力されるので、自動的に録音や録画がなされることになるので、使用者にとって便利な受信装置（１）となる。
【００１８】
ところで、放送信号を選択的に出力したい場合には、特定の個人が含まれている放送信号のみを出力する場合が考えられる。具体的にいえば、前述のように、特定の歌手が出演している放送において、その歌手の歌のみを録音したい場合などである。
【００１９】
このような場合、請求項３に記載のように、特徴抽出手段（２０）は、受信された放送信号の音響信号のスペクトラム情報に基づき、所定の情報の特徴として所定の個人を特定する特徴を抽出する。
【００２０】
また、判定手段（５０）は、受信手段（１０）で受信している放送信号から特徴抽出手段（２０）で音響信号のスペクトラム情報に基づき抽出した所定の個人を特定する特徴と記憶手段（３０）に記憶された所定の個人を特定する特徴とをマッチングすることにより抽出した所定の個人を特定する特徴と記憶手段（３０）に記憶された所定の個人を特定する特徴とが一致又は近似しているか否かを判定するようにするとよい。
【００２１】
このようにすると、放送信号から音響信号のスペクトラム情報に基づいて特定の個人（例えば、好みの歌手など）を特定する特徴を抽出することができる。したがって、その特徴を記憶しておき、受信している放送信号から同じようにスペクトラム情報に基づいて所定の個人を特定する特徴を抽出し、抽出した特徴が記憶しておいた特徴に一致又は近似しているか否かを判定すれば、所定の個人に関する放送信号（例えば、好みの歌手の音声信号）のみを出力することができる。
【００２２】
また、出力された信号を、例えば、録音すれば、放送信号の中から好みの歌手の音声のみを録音することができるので、便利な受信装置（１）となる。
また、放送信号が映像信号を含む場合も考えられる。そこで、請求項４に記載のように、特徴抽出手段（２０）は、受信された放送信号の映像信号を画像処理することにより、所定の情報の特徴として所定の個人を特定する特徴を抽出し、判定手段（５０）は、受信手段（１０）で受信している放送信号から特徴抽出手段（２０）で映像信号を画像処理することにより抽出した所定の個人を特定する特徴と記憶手段（３０）に記憶された所定の個人を特定する特徴とをマッチングすることにより抽出した所定の個人を特定する特徴と記憶手段（３０）に記憶された所定の個人を特定する特徴とが一致又は近似しているか否かを判定するようにするとよい。
【００２３】
このようにすると、放送信号が映像信号を含む場合には、その映像信号に含まれる所定の個人に関する映像信号のみを出力することができるようになる。
つまり、放送信号の映像信号には、所定の個人を特定する特徴、例えば、出演している俳優や歌手などの人名を文字列で表示する映像や、俳優あるいは歌手の顔や身体の映像が含まれている。
【００２４】
そこで、映像信号からこのような所定の個人を特定する特徴を抽出して記憶しておき、受信している放送信号から同じように映像信号に基づいて所定の個人を特定する特徴を抽出し、抽出した特徴が記憶されている特徴に一致又は近似しているか否かを判定すれば、所定の個人に関する放送信号（例えば、好みの俳優や歌手の映像信号）のみを出力することができる。
【００２５】
また、出力された信号を、例えば録画すれば、放送信号の中から好みの俳優や歌手の映像のみを録画することができるので、便利な受信装置（１）となる。
【図面の簡単な説明】
【００２６】
【図１】第１実施形態における受信装置１の概略の構成を示すブロック図である。
【図２】第２実施形態における受信装置２の概略の構成を示すブロック図である。
【図３】制御部６０において実行される制御処理の流れを示すフローチャートである。
【発明を実施するための形態】
【００２７】
以下、本発明が適用された実施形態について図面を用いて説明する。なお、本発明の実施の形態は、下記の実施形態に何ら限定されることはなく、本発明の技術的範囲に属する限り種々の形態を採りうる。
【００２８】
［第１実施形態］
図１は、本発明が適用された受信装置１の概略の構成を示すブロック図である。受信装置１は、受信部１０、特徴抽出部２０、記憶装置３０、出力部４０、判定部５０、制御部６０及びスイッチ７０を備えている。
【００２９】
受信部１０は、放送信号のチャンネルを選択して受信するものであり、アンテナ１２、チューナ１４及びＡ／Ｄ変換器１６を備えている。アンテナ１２は、ロッドアンテナやダイパーシティアンテナなどＡＭやＦＭのラジオ放送の周波数帯域を受信するために適したアンテナである。
【００３０】
なお、受信部１０は制御部６０からの選択指令信号を受けて、受信する放送信号のチャンネルを変更できるように構成されている。選択指令信号は、パルス信号であり、そのパルス信号が入力されると、周波数の低いチャンネルから高い周波数のチャンネルにシーケンシャルにチャンネルが変更できるように構成されている。
【００３１】
また、受信部１０は、使用者がチャンネル選択をするための図示しない選択スイッチを有しており、使用者がその選択スイッチを操作することにより、任意のチャンネルを選択できるように構成されている。
【００３２】
チューナ１４は、図示しない低雑音増幅器、復調器などを備え、ＡＭやＦＭ変調された電波を受信して復調し、アナログ信号（音声信号）として出力する。
Ａ／Ｄ変換器１６は、チューナ１４から出力されるアナログ信号をディジタル信号に変換する装置である。変換するディジタル信号のビット数は、例えば、変換するアナログ信号が音声信号の場合であれば、変換後に得られる音質や変換速度によって決定される。
【００３３】
変換後に得られる音質を高めたければビット数を多くし（例えば、１２ビットや１６ビットなど）、音質よりも変換速度を重視したい場合にはビット数を少なくする（例えば、８ビットなど）。
【００３４】
特徴抽出部２０は、受信部１０で受信し、Ａ／Ｄ変換器１６にてディジタル信号に変換された放送信号から所定の特徴を抽出する。このとき、スイッチ７０が押されている間のみ所定の特徴を抽出する。
【００３５】
つまり、スイッチ７０が押されている間のみスイッチ７０から特徴を抽出する旨の指示が出力されるので、特徴抽出部２０は、その間のみ所定の特徴を抽出するのである。
特徴抽出部２０は、ＤＳＰで構成されており、Ａ／Ｄ変換器１６にてディジタル信号に変換された音響信号のスペクトラム情報に基づき、所定の情報の特徴として所定の個人を特定する特徴を抽出する。
【００３６】
具体的には、ＤＳＰ内部の処理として、音響信号をスペクトラム分析するが、その方法としてＬＰＣ（線形予測分析）ケプストラム分析を用い、個人を特定するための特徴である音声スペクトルを、スペクトルの微細構造とスペクトル包絡パラメータに近似的に分離して抽出する。なお、ＬＰＣケプストラム分析については、「音声情報処理の基礎」ｐ．９９〜１０３（オーム社、１９８１年１１月）などに詳細が述べられている。
【００３７】
記憶装置３０は、特徴抽出部２０で抽出した所定の特徴を所定の条件に基づいて記憶するものであり、ハードディスク装置、ＲＡＭ、あるいは、取り外して持ち運ぶことができるＵＳＢメモリなどの可搬型のメモリ装置である。また、記憶装置３０は、スイッチ７０から指示があるか否かを所定の条件とし、指示があったときのみ特徴抽出部２０で抽出された所定の特徴を記憶するように構成されている。
【００３８】
出力部４０は、受信部１０で受信した放送信号を出力するものであり、増幅器４２及びスピーカ４４を備えており、チューナ１４から出力されたアナログ信号を増幅して音響として出力する。
【００３９】
また、出力部４０は、制御部６０からの出力指令信号を入力するように構成されている。出力指令信号は、「１又は０の状態」のディスクリート信号であり、「１」が出力許可を意味し、「０」が出力禁止を意味する信号である。
【００４０】
したがって、出力部４０は、制御部６０から入力された出力指令信号が「１」の場合、音響を出力し、出力指令信号が「０」の場合、音響を出力しない。
判定部５０は、受信部１０で受信している放送信号から特徴抽出部２０で所定の特徴を抽出し、抽出した所定の特徴と記憶装置３０に記憶された所定の特徴とをマッチングすることにより抽出した所定の特徴が記憶装置３０に記憶された所定の特徴に一致又は近似しているか否かを判定する。
【００４１】
判定部５０は、ＤＳＰで構成されており、ＤＳＰ内部で実行される処理で、受信部１０で受信し、Ａ／Ｄ変換器１６にてディジタル信号に変換された放送信号から特徴抽出部２０で音響信号をスペクトラム分析（上記ＬＰＣケプストラム分析）し、個人を特定するための特徴であるスペクトルの微細構造とスペクトル包絡パラメータを抽出する。
【００４２】
そして、抽出した特徴と記憶装置３０に記憶された所定の個人を特定する特徴とをマッチングさせ、抽出した所定の個人を特定する特徴と記憶装置３０に記憶された所定の個人を特定する特徴とが一致又は近似しているか、つまり、許容誤差範囲内に収まっているか否かを判定する。
【００４３】
制御部６０は、図示しないＣＰＵ、ＲＯＭ、ＲＡＭ及びＩ／Ｏを備えており、ＲＯＭに格納されたプログラムによって、判定部５０において、特徴抽出部２０で抽出した所定の特徴が記憶装置３０に記憶された所定の特徴を有する情報に一致又は近似していると判定した場合に、受信部１０で受信した信号を出力部４０に出力させる出力指令信号「１」を出力部４０に対して出力し、一致又は近似していないと判定した場合には出力させない出力指令信号「０」を出力する。
【００４４】
一方、両特徴が一致又は近似していないと判定された場合には、受信部１０に対して、パルス信号である選択指令信号を出力する。
スイッチ７０は、使用者の操作により、記憶装置３０に対し、特徴抽出部２０で抽出した所定の特徴を記憶装置３０に記憶させる旨の指示を出すボタンスイッチであり、ボタンが押下されている間オンとなり、記憶装置３０に特徴を記憶させる。
【００４５】
(受信装置１の作動）
次に、受信装置１の作動について説明する。作動状態の例として、ＦＭラジオ放送において、使用者が好みの歌手（以下、「歌手Ａ」と呼ぶ）の歌を聴く場合の受信装置１の作動について説明する。
【００４６】
ＦＭラジオにおいて、あるチャンネル（以下、「チャンネルａ」と呼ぶ）で「歌手Ａ」の曲が放送されているとする。この場合、使用者が、受信装置１の選択スイッチを操作することにより受信装置１でチャンネルａが受信され、歌手Ａの歌声が出力されるようになる。
【００４７】
チャンネルａが受信されると「歌手Ａ」の歌が出力されるので、使用者がスイッチ７０を押すと、特徴抽出部２０にて「歌手Ａ」の信号の特徴がスペクトラム分析により抽出されて、記憶装置３０に記憶される。
【００４８】
その後、受信部１０で受信し、Ａ／Ｄ変換されたディジタル信号から特徴抽出部２０において所定の特徴がスペクトラム分析により抽出され、抽出された特徴が記憶装置３０に記憶されている「歌手Ａ」の特徴に一致又は近似しているか否かが判定される。
【００４９】
そして、抽出した特徴が「歌手Ａ」の特徴に一致又は近似していると判定された場合は、受信された音響信号がスピーカ４４から出力され、一致又は近似していないと判定された場合には、既に「歌手Ａ」の歌唱が終了していたりするので、受信部１０のチャンネルが変更される。
【００５０】
（受信装置１の特徴）
以上に説明した、受信装置１では、受信部１０で受信された放送信号から所定の特徴が抽出されて記憶装置３０に記憶される。そして、受信されている信号から所定の特徴が抽出され、記憶装置３０に記憶されている特徴とマッチングされ、両特徴が一致又は近似しているか否かが判定される。そして、一致又は近似していると判定された場合にのみ、受信部１０で受信された信号が出力部４０に出力される。
【００５１】
つまり、受信している放送信号のうち、記憶装置３０に所定の特徴を有するとして記憶されたものと同じ特徴を有する放送信号のみが出力されることになる。このとき、所定の特徴は、使用者のスイッチ７０の操作により特徴抽出部２０で抽出して記憶装置３０に記憶されているので、その特徴と一致又は近似する放送信号のみを選択的に出力することができる。
【００５２】
ここで、「抽出した所定の特徴が記憶装置３０に記憶された所定の特徴に一致又は近似している」とは、記憶装置３０に記憶されている所定の特徴と受信している放送信号から抽出された所定の特徴とが完全に一致している場合だけでなく、両特徴が同一であると判定できる許容値内にある場合を意味している。
【００５３】
また、使用者が操作した場合だけ放送信号から所定の特徴が抽出されて記憶装置３０に記憶されるので、結果として使用者が必要とする特徴を有する放送信号のみが出力部４０から出力されることになる。
【００５４】
これは、例えば、放送において使用者が好みの歌手の歌声を聞きたいような場合、一度、その歌手の音声が放送されているときに、スイッチ７０を操作すれば、あとは、本受信装置１によって、その歌手の音声が自動的に出力されことになるので、使用者にとって便利な受信装置１となる。
【００５５】
また、放送信号から抽出されている所定の特徴が記憶装置３０に記憶されている特徴と一致又は近似しない場合には、チューナ１４が別のチャンネルを選択することになるので、自動的に所定の特徴を有するチャンネルが選択される、換言すれば、好みの歌手などが出演して歌唱している番組が選択され、その歌手の歌声のみがスピーカ４４から出力されることになるので、使用者にとって便利な受信装置１となる。
【００５６】
［第２実施形態］
次に、ＤＳＰを用いる代わりに、ＣＰＵのみですべての処理を実行する第２実施形態について図２に基づき構成を説明する。図２は、第２実施形態における受信装置２の概略の構成を示すブロック図である。
【００５７】
受信装置２は、図２に示すように、ＤＳＰを用いて構成されている特徴抽出部２０及び判定部５０を制御部６０に統合し、特徴抽出部２０及び判定部５０で実行されている特徴抽出処理及び判定処理を制御部６０において制御処理として実行する。
【００５８】
第２実施形態では、制御部６０以外の構成は、第１実施形態における受信装置１と同じであるので、第１実施形態と同じ符号を付し、その説明は省略する。
制御部６０は、第１実施形態の制御部６０と同様に、図示しないＣＰＵ、ＲＯＭ、ＲＡＭ、Ｉ／Ｏを備えており、ＲＯＭに格納された制御処理プログラムにより受信装置２を作動させる。
【００５９】
（制御処理）
次に、図３に基づき、制御処理プログラムの処理内容について説明する。図３は、制御部６０において実行される制御処理の流れを示すフローチャートである。
【００６０】
制御処理は、受信装置２の電源オンとともに起動され、図３に示すように、Ｓ１００においてスイッチ７０の状態が取得され、続くＳ１０５では、Ｓ１００において取得されたスイッチ７０の状態がオンであるか否かが判定される。
【００６１】
そして、スイッチ７０がオンであると判定された場合（Ｓ１０５：Ｙｅｓ）、処理がＳ１１０へ移行され、スイッチ７０がオフであると判定された場合（Ｓ１０５：Ｎｏ）、処理がＳ１２０へ移行される。
【００６２】
Ｓ１１０では、Ａ／Ｄ変換器１６でディジタル信号に変換された信号から特徴が抽出される。特徴の抽出は、前述の特徴抽出部２０で述べたように、ＬＰＣケプストラム分析により行われ、特徴としてスペクトルの微細構造とスペクトル包絡パラメータが抽出される。
【００６３】
続くＳ１１５では、Ｓ１１０において抽出された特徴が記憶装置３０に記憶される。
Ｓ１２０では、Ｓ１１０と同様に、Ａ／Ｄ変換器１６でディジタル信号に変換された信号から特徴が抽出され、続くＳ１２５において、記憶装置３０から特徴が取得される。
【００６４】
続くＳ１３０では、Ｓ１２０において抽出された特徴とＳ１２５において記憶装置３０から取得された特徴とが一致又は近似しているか否かが判定され、両特徴が一致又は近似していると判定された場合（Ｓ１３０：Ｙｅｓ）、処理がＳ１４５へ移行され、一致又は近似していないと判定された場合（Ｓ１３０：Ｎｏ）、処理がＳ１３５へ移行される。
【００６５】
Ｓ１３５において、出力部４０からの音響出力を停止させる出力指令信号「０」が出力部４０（増幅器４２）へ出力され、音響出力が停止される。そして、続くＳ１４０において、選択指令信号が受信部１０へ出力され、チューナ１４のチャンネルが変更される。その後、処理がＳ１００へ戻され、制御処理が繰り返される。
【００６６】
Ｓ１４５では、出力部４０からの音響出力を出力させる出力指令信号「１」が出力部４０（増幅器４２）へ出力され、音響出力がされた後、処理がＳ１００へ戻され、制御処理が繰り返される。
【００６７】
なお、制御処理は、受信装置２の電源オフとともに処理が終了される。
第２実施形態における受信装置２は、第１実施形態においてＤＳＰを用いて構成されている特徴抽出部２０及び判定部５０を制御部６０に統合し、特徴抽出部２０及び判定部５０で実行されている特徴抽出処理及び判定処理を制御部６０において制御処理として実行しているので、第１実施形態の受信装置１と同じ特徴を有している。
【００６８】
また、複数のＤＳＰを１つのＣＰＵで構成しているので、受信装置２を小型化することができる。
［第３実施形態］
次に、第１実施形態の音響信号の代わりに映像信号を受信する場合の第３実施形態について説明する。第３実施形態の受信装置の構成は第１実施形態の受信装置１と同じであり、各構成品の機能が異なるものがあるだけであるので、機能が同じ構成品についてはその説明を省略する。
【００６９】
第２実施形態における受信装置では、アンテナ１２は、ＶＨＦやＵＨＦ帯域のテレビ電波を受信するために適した八木アンテナなどが用いられる。またチューナ１４は、テレビ電波の周波数帯域（ＶＨＦ、ＵＨＦ帯域）を受信するチューナとなり、テレビ電波を受信し、受信したテレビ電波から映像信号を出力する。
【００７０】
また、特徴抽出部２０は、音響信号の代わりに、チューナ１４から出力され、Ａ／Ｄ変換されたディジタル映像信号を公知の画像処理方法で画像処理することにより所定の個人を特定する情報を抽出する。
【００７１】
所定の個人情報としては、ディジタル映像信号から公知の画像処理により人名などの文字列を抽出したり、ディジタル映像信号から公知の画像処理により人物の顔画像を抽出したりする。
【００７２】
したがって、使用者の好みの出演者が出演している映像に、その出演者の氏名を示す文字列が映し出された場合やその出演者が登場したりした場合に使用者がスイッチ７０を押せば、その間に文字列や顔画像が抽出されて、記憶装置３０に記憶される。
【００７３】
判定部５０は、受信部１０で受信している放送信号から特徴抽出部２０で映像信号を画像処理することにより抽出した所定の個人を特定する特徴と記憶装置３０に記憶された所定の個人を特定する特徴とをマッチングすることにより抽出した所定の個人を特定する特徴と記憶装置３０に記憶された所定の個人を特定する特徴とが一致又は近似しているか否かを判定する。
【００７４】
つまり、特徴抽出部２０で抽出している文字列又は顔画像を記憶装置３０に記憶された文字列や顔画像とマッチングさせ、文字列の場合は一致しているか否か、顔画像の場合は一致しているか又は近似しているか否かを判定する。
【００７５】
このようにすると、映像信号から画像処理により特定の個人（例えば、好みの歌手など）を特定する特徴である文字列や顔画像を抽出することができるので、その特徴を記憶しておき、受信している放送信号から同じように文字列や顔画像を抽出し、抽出した文字列や顔画像が記憶しておいた文字列や顔画像一致又は近似しているか否かを判定すれば、所定の個人に関する映像信号（例えば、好みの俳優の映像信号）のみを出力することができる。
【００７６】
さらに、出力部４０では、増幅器４２は映像信号の帯域を増幅できるアンプとなっており、また、スピーカ４４の代わりに液晶ディスプレイ、有機ＥＬディスプレイ、プラズマディスプレイやＣＲＴなどの表示装置が用いられる。
【００７７】
以上のような受信装置では、音声信号の代わりに映像信号がディスプレイに表示される、つまり、使用者の好みの俳優や歌手の映像が含まれる放送のみがディスプレイに表示されるので、使用者にとって便利な受信装置となる。
【００７８】
［その他の実施形態］
以上、本発明の実施形態について説明したが、本発明は、本実施形態に限定されるものではなく、種々の態様を採ることができる。
【００７９】
（１）上記実施形態では、音響出力と映像出力とを別々の実施形態で説明したが、テレビ放送では、映像信号と共に音響信号が送信されているので、受信部１０や出力部４０などを映像信号と音響信号とを共に受信や出力ができるように構成し、映像出力と音響出力を共に出力できるようにしてもよい。
【００８０】
（２）上記実施形態では、スピーカ４４を用いて音響出力をしたり、表示装置を用いて映像表示をしたりしていたが、音響出力を録音装置で録音したり、映像出力を録画装置で録画したりできるようなインターフェース装置を備えるようにしてもよい。
【００８１】
（３）記憶装置３０として、可搬型のメモリ装置を使用した場合、１つの受信装置で取得した特徴を可搬型メモリに記憶されることができる。したがって、その可搬型メモリを適用すれば、使用者はスイッチ７０を操作することなく好みの音声や映像を見たり録音、録画したりすることができるようになるので、便利な受信装置とすることができる。
【００８２】
（４）上記実施携帯では、特徴抽出部２０で特徴を抽出する方法として、ＬＰＣケプストラム分析を用いたが、他の音声情報処理を用いてもよい。
【符号の説明】
【００８３】
１，２…受信装置、１０…受信部、１２…アンテナ、１４…チューナ、１６…Ａ／Ｄ変換器、２０…特徴抽出部、３０…記憶装置、４０…出力部、４２…増幅器、４４…スピーカ、５０…判定部、６０…制御部、７０…スイッチ。
【図１】
2010226472.tif 000003
【図２】
2010226472.tif 000004
【図３】
2010226472.tif 000005